(57)【要約】【課題】小瞳孔径眼に対して、煩雑な操作を経ずに迅速で適切な測定・検査結果を得ることができる眼科装置を提供する。【解決手段】被検眼瞳孔と光学的に共役な位置に設けられる絞り開口、又は被検眼水晶体あるいは被検眼角膜と光学的に共役な位置に設けられる遮光部、の大きさに関し、通常眼の場合の第１の大きさと、第１の大きさより小さい第２の大きさを切り替え可能で、第２の大きさに切り替えられている場合には、固視標の光量を通常眼の場合より小さい光量に維持又は変更する。【選択図】図１
2013165818.tif 000002
【特許請求の範囲】
【請求項１】
被検眼の瞳孔と光学的に共役な位置に設けられる絞り開口又は被検眼水晶体あるいは被検眼角膜と光学的に共役な位置に設けられる遮光部の大きさに関し、第１の大きさと、前記第１の大きさより小さい第２の大きさとを切り替え可能な切り替え手段と、
前記切り替え手段により前記絞り開口又は前記遮光部が前記第２の大きさに切り替えられる場合、前記被検眼に投影される固視標像の光量を第１の光量から前記第１の光量より小さい第２の光量に変更する制御手段と、
を有することを特徴とする眼科装置。
【請求項２】
前記制御手段は、前記固視標像の光量を前記第２の光量に変更することを前記絞り開口又は前記遮光部の切り替えと同時に行うことを特徴とする請求項１に記載の眼科装置。
【請求項３】
前記制御手段は、前記固視標像の光量を前記第２の光量に変更することを前記絞り開口又は前記遮光部の切り替えより先行させることを特徴とする請求項１に記載の眼科装置。
【請求項４】
前記制御手段は、前記絞り開口又は前記遮光部の大きさが前記第１の大きさから前記第２の大きさへ切り替えられる前から予め前記固視標像の光量が前記第２の光量となっている状態において前記絞り開口又は前記遮光部が前記第２の大きさに切り替えられる場合、前記第２の光量を維持することを特徴とする請求項１記載の眼科装置。
【請求項５】
前記制御手段は、前記絞り開口又は前記遮光部が前記第２の大きさに切り替えられずに一定時間が経過すると前記固視標像の光量を前記第２の光量から前記第１の光量に変更することを特徴とする請求項４記載の眼科装置。
【請求項６】
前記制御手段は、前記一定時間が経過する前に前記絞り開口又は前記遮光部が前記第２の大きさに切り替えられる場合、前記第２の光量を維持することを特徴とする請求項５記載の眼科装置。
【請求項７】
前記絞り開口は、被検眼の眼屈折力を測定するために用いられることを特徴とする請求項１乃至６のいずれか１項に記載の眼科装置。
【請求項８】
前記遮光部は、被検眼の眼底像を出力するために用いられることを特徴とする請求項１乃至６のいずれか１項に記載の眼科装置。
【請求項９】
被検眼の瞳孔と光学的に共役な位置に設けられる絞り開口又は前記被検眼の水晶体あるいは前記被検眼の角膜と光学的に共役な位置に設けられる遮光部の大きさに関し、第１の大きさと、前記第１の大きさより小さい第２の大きさを切り替える切り替え工程と、
前記切り替えステップにおいて前記絞り開口又は前記遮光部が、前記第２の大きさに切り替えられる場合、前記被検眼に投影される固視標像の光量を第１の光量から前記第１の光量より小さい第２の光量に変更する制御工程と、
を有することを特徴とする眼科制御方法。
【請求項１０】
請求項９に記載される全ての前記工程をコンピュータに実行させることを特徴とする眼科制御プログラム。
【発明の詳細な説明】
【技術分野】
【０００１】
本発明は、眼科装置および眼科制御方法並びにプログラムに関するものである。
【背景技術】
【０００２】
従来、眼屈折力測定装置や眼科撮影装置などの眼科装置においては、被検眼に固視標を投影する光学系が設けられている。固視標は、眼屈折力測定装置で被検眼に弛緩を促すため、眼科撮影装置で被検眼を注視させるために用いられる。しかし、固視標の明るさによっては、被検眼に縮瞳を促し、被検眼の虹彩で一部遮蔽され、所望の測定・検査結果が得られない場合があった。特に、小瞳孔径眼では固視標を眩しく感じる傾向があるため、縮瞳しやすいことが知られている。
【０００３】
これに対し、眼屈折力測定装置において、小瞳孔径眼の場合に固視標を暗く調光する（特許文献１）こと、およびリング光束が被検眼の虹彩にけられている場合に絞り径を小さくする（特許文献２）ことが知られる。
【先行技術文献】
【特許文献】
【０００４】
【特許文献１】特開平６−１８９９０４号公報
【特許文献２】特許第４２３３４２６号公報
【発明の概要】
【発明が解決しようとする課題】
【０００５】
しかしながら、小瞳孔径眼に対し、絞り径を小さくし、かつ固視標を暗くする場合これらの作業は検者にとって煩雑である。また、小瞳孔と判断してから固視標を暗くするまでの時間が操作の煩雑さによって長くなることで縮瞳が進む虞があり適切な測定・検査結果が得られないという課題があった。
【０００６】
本発明の目的は、小瞳孔径眼に対して、煩雑な操作を経ずに迅速で適切な測定・検査結果を得ることができる眼科装置を提供することにある。
【課題を解決するための手段】
【０００７】
上記目的を達成するために、本発明に係る眼科装置の代表的な構成は、被検眼の瞳孔と光学的に共役な位置に設けられる絞り開口又は被検眼水晶体あるいは被検眼角膜と光学的に共役な位置に設けられる遮光部の大きさに関し、第１の大きさと、前記第１の大きさより小さい第２の大きさとを切り替え可能な切り替え手段と、前記切り替え手段により前記絞り開口又は前記遮光部が前記第２の大きさに切り替えられる場合、前記被検眼に投影される固視標像の光量を第１の光量から前記第１の光量より小さい第２の光量に変更する制御手段と、を有する。
【０００８】
また本発明に係る眼科制御方法の代表的な構成は、被検眼の瞳孔と光学的に共役な位置に設けられる絞り開口又は前記被検眼の水晶体あるいは前記被検眼の角膜と光学的に共役な位置に設けられる遮光部の大きさに関し、第１の大きさと、前記第１の大きさより小さい第２の大きさを切り替える切り替え工程と、前記切り替えステップにおいて前記絞り開口又は前記遮光部が、前記第２の大きさに切り替えられる場合、前記被検眼に投影される固視標像の光量を第１の光量から前記第１の光量より小さい第２の光量に変更する制御工程と、を有する。
【０００９】
また、眼科制御プログラムも本発明の他の一側面を構成する。
【発明の効果】
【００１０】
本発明によれば、絞り開口又は遮光部が第２の大きさに切り替えられている場合には、固視標の光量を標準眼の場合より小さい光量に維持又は変更することで、小瞳孔径眼に対して、煩雑な操作を経ずに迅速で適切な測定・検査結果を得ることができる。
【図面の簡単な説明】
【００１１】
【図１】本発明の第１の実施形態に係る眼屈折力測定装置の測定部の光学系の配置図である。
【図２】第１の実施形態に係る眼屈折力測定装置の外観図である。
【図３】第１の実施形態における２種類の眼屈折力測定絞りの比較図である。
【図４】第１の実施形態に係る眼屈折力測定装置のシステムブロック図である。
【図５】（Ａ）〜（Ｃ）は第１の実施形態に係る眼屈折力測定装置の動作の一例を示すフローチャートである。
【図６】絞り開口の大きさに係らず、予め固視標の光量を標準眼の場合より小さい光量に維持又は変更する場合の詳細な制御のフローチャートである。
【図７】第２の実施形態に係る眼科撮影装置の光学系の配置図である。
【図８】第２の実施形態における切り替え可能な水晶体バッフルの正面図である。
【図９】（Ａ）〜（Ｃ）は第２の実施形態に係る眼科撮影装置の動作の一例を示すフローチャートである。
【発明を実施するための形態】
【００１２】
《第１の実施形態》
（眼屈折力計の全体構成）
図２は、本発明の実施形態に係る眼屈折力計の概略的な全体構成図を示している。ベース１００に対してフレーム１０２は、左右方向（以下、Ｘ軸方向）に移動可能である。Ｘ軸方向の駆動機構は、ベース１００上に固定されたＸ軸駆動モータ１０３と、モータ出力軸に連結された送りねじ（不図示）と、送りねじ上をＸ軸方向に移動可能でフレーム１０２に固定されたナット（不図示）で構成されている。モータ１０３の回転により、送りねじ、ナットを介してフレーム１０２がＸ軸方向に移動する。フレーム１０２に対してフレーム１０６は、上下方向（以下、Ｙ軸方向）に移動可能である。
【００１３】
Ｙ軸方向の駆動機構は、フレーム１０２上に固定されたＹ軸駆動モータ１０４と、モータ出力軸に連結された送りねじ１０５と、送りねじ上をＹ軸方向に移動可能でフレーム１０６に固定されたナット１１４で構成されている。モータ１０４の回転により、送りねじ、ナットを介してフレーム１０６がＹ軸方向に移動する。
【００１４】
フレーム１０６に対して、フレーム１０７は、前後方向（以下、Ｚ軸方向）に移動可能である。Ｚ軸方向の駆動機構は、フレーム１０７上に固定されたＺ軸駆動モータ１０８と、モータ出力軸に連結された送りねじ１０９と、送りねじ上をＺ軸方向に移動可能でフレーム１０６に固定されたナット１１５で構成されている。
【００１５】
モータ１０８の回転により、送りねじ１０９、ナットを介してフレーム１０７がＺ軸方向に移動する。フレーム１０７上には測定を行うための測定ユニット１１０が固定されている。測定ユニット１１０の被検者側端部には、アライメントを行うための光源１１１が設けられている。ベース１００には、測定ユニット１１０の位置を制御するジョイスティック１０１と、後述する眼屈折力測定絞りを切り替える眼屈折力測定絞り切り替えキー１１７が設けられている。
【００１６】
眼屈折力の測定を行う際には、被検者は顎受け１１２上に顎を乗せ、かつベース１００に固定されている顔受けフレーム（不図示）の額受け部分に額を押し当てることで被検眼の位置を固定させることができる。また、顎受け１１２は、被検者の顔のサイズに応じて顎受け駆動機構１１３によりＹ軸方向に調整可能である。測定ユニット１１０の検者側端部には、被検眼Ｅを観察するための表示部材であるＬＣＤモニタ１１６が設けられており、測定結果等を表示することができる。
【００１７】
（眼屈折力測定系）
図１は、測定ユニット１１０内部の光学系配置図である。波長８８０ｎｍの光を照射する眼屈折力測定用光源２０１から被検眼Ｅに至る光路０１上には、レンズ２０２、被検眼Ｅの瞳孔Ｅｐとほぼ共役な絞り２０３、孔あきミラー２０４、挿脱可能な拡散板２２２、レンズ２０５が設けられる。更に、被検眼Ｅ側から可視光を全反射し波長８８０ｎｍの光束を一部反射するダイクロイックミラー２０６が順次に配置されている。孔あきミラー２０４の反射方向の光路０２上には、眼屈折力測定絞り２０７、光束分光プリズム２０８、レンズ２０９、撮像素子２１０が順次に配列されている。
【００１８】
瞳孔Ｅｐとほぼ共役に位置する眼屈折力測定絞りは、標準瞳孔径絞り２０７と小瞳孔径絞り２２５からなり、眼屈折力測定絞り切り替えソレノイド（不図示）によって常にどちらか一方のみが光路上に位置する。ここで、標準瞳孔径（通常瞳孔径)は、標準的な被検眼の標準的な瞳孔径（例えば、４ｍｍより大きい、または３．３ｍｍより大きい瞳孔径）であり、標準瞳孔径絞りは、標準的な被検眼の標準的な瞳孔径に適する絞りを意味する。
【００１９】
また、小瞳孔径は、標準瞳孔径より小さい瞳孔径（即ち、４ｍｍより小さい、または３．３ｍｍより小さい瞳孔径）であり、小瞳孔径絞りは、小瞳孔径に適する絞りを意味する。標準的な瞳孔径は上記の４ｍｍまたは３．３ｍｍに限定されるものではなく、他の値としてもよい。
【００２０】
眼屈折力測定時、半透明の拡散板２２２は、不図示の拡散板挿脱ソレノイド５１０により、光路外に配置されている。測定光源２０１から発せられた光束は、絞り２０３で光束が光路０１上に絞られつつ、レンズ２０２によりレンズ２０５の手前で１次結像し、レンズ２０５、ダイクロイックミラー２０６を透過して被検眼Ｅの瞳中心に投光される。
【００２１】
その光束は眼底Ｅｒで結像し、その反射光は瞳中心を通って再びレンズ２０５に入射する。入射した光束はレンズ２０５を透過後に、孔あきミラー２０４の周辺で反射する。反射した光束は被検眼瞳孔Ｅｐと略共役な標準瞳孔径絞り２０７または小瞳孔径絞り２２５で瞳分離される。標準瞳孔径絞り２０７と小瞳孔径絞り２２５はいずれもリング状のスリットを有しているため、瞳分離された光束は撮像素子２１０の受光面にリング像として投影される。
【００２２】
被検眼Ｅが正視眼であれば、このリング像は所定の円になり、近視眼では正視眼に対して円が小さく、遠視眼では正視眼に対して円が大きくなって投影される。被検眼Ｅに乱視がある場合、リング像は楕円になり、水平軸と楕円の長軸あるいは短軸がなす角度が乱視軸角度となる。この楕円の係数を基に眼屈折力を求める。
【００２３】
一方、ダイクロイックミラー２０６の反射方向には、固視標投影光学系と、被検眼の前眼部観察とアライメント検出が共用されるアライメント受光光学系が配置されている。固視標投影光学系の光路０３上には、レンズ２１１、ダイクロイックミラー２１２、レンズ２１３、折り返しミラー２１４、レンズ２１５、固視標２１６、固視標照明用光源２１７が順次に配列されている。
【００２４】
固視誘導時に、点灯された固視標照明用光源２１７の投影光束は、固視標２１６を裏側から照明し、レンズ２１５、折り返しミラー２１４、レンズ２１３、ダイクロイックミラー２１２、レンズ２１１を介して被検眼Ｅの眼底Ｅｒに投影される。すなわち、被検眼Ｅに固視標２１６の像が投影される。従って、後述するシステム制御部４０１の一機能である固視標光量制御手段３００によって固視標照明光源２１７が照射する光量を制御することで被検眼Ｅに投影される固視標２１６の像の光量を制御することができる。
【００２５】
なお、レンズ２１５は被検眼Ｅの雲霧状態を実現するため、視度誘導制御を行う固視誘導モータ２２４により、光軸方向に移動できるようになっている。固視標２１６、固視標照明用光源２１７に変えて固視標を表示するディスプレイを用いることとしてもよい。
【００２６】
ダイクロイックミラー２１２の反射方向の光路０４上には、アライメントプリズム絞り２２３、レンズ２１８、撮像素子２２０が順次に配列されている。また、装置測定部近傍に設置された前眼部照明光源２２１ａ、２２１ｂは、７８０ｎｍ程度の波長を有する被検眼Ｅの前眼部用の照明光源である。この前眼部照明光源２２１ａ、２２１ｂによって照明された被検眼Ｅの前眼部像の光束は、前眼部反射光光路０４を通り撮像素子２２０へ結像される。
【００２７】
アライメントを行う際には、拡散板２２２は不図示の拡散版挿抜ソレノイド４１０により光路上に挿入される。アライメント検出のための光源は、前述の眼屈折力測定用の測定光源２０１と兼用されている。また、拡散板２２２が挿入される位置は、測定光源２０１の投影レンズ２０２による一次結像位置であり、かつレンズ２０５の焦点位置に挿入される。これにより、測定光源２０１の像が拡散板２２２上に一旦結像して、それが二次光源となりレンズ２０５から被検眼Ｅに向かって太い光束の平行光束として投影される。
【００２８】
この平行光束が被検眼角膜Ｅｆで反射され、その光束はアライメントプリズム絞り２２３によって分光され、レンズ２１８を介して撮像素子２２０上に収斂される。撮像素子２２０に結像する輝点の位置は被検眼Ｅの位置によって異なるため、輝点の位置をもとに被検眼Ｅのアライメントを行うことができる。
【００２９】
（測定絞り開口）
図３は、２種類の眼屈折力測定絞り開口の形状（リング状の開口部）を示したものである。小瞳孔径絞り２２５は標準瞳孔径絞り２０７よりもリング状スリットの半径（リング状の開口部の内径および外径）が小さいため、より角膜中心に近い部位を通過する光束を分離することができる。角膜中心に近い部位は屈折力が弱く、眼屈折力測定に最適な部位ではないが、虹彩に遮蔽される可能性が低く、小瞳孔径の被検眼の測定に適している。
【００３０】
なお、小瞳孔径絞り２２５は標準瞳孔径絞り２０７に比べてリング状の開口部の内径のみを小さくしてもよい。なお、小瞳孔径絞り２２５および標準瞳孔径絞り２０７は、被検眼への光束の入射を制限する光束制限手段に相当する。
【００３１】
眼屈折力測定絞り切り替えキー１１７を検者が操作すると、操作前に光路内に標準瞳孔径絞り２０７があった場合は、小瞳孔径絞り２２５に切り替えられる。この切り替えに応じて、固視標光量制御手段３００が固視標の光量（被検眼に投影される固視標像の光量）を制御する。即ち、固視標の光量を標準眼の場合の光量（第１の光量）より小さい光量（第２の光量）に維持又は変更する。
【００３２】
（システム制御）
図４は、本実施形態に係る眼屈折力計のシステムブロック図である。システム全体を制御しているシステム制御部４０１は、プログラム格納部、眼屈折力値を補正するためのデータが格納されたデータ格納部、各種デバイスとの入出力を制御する入出力制御部、各種デバイスから得られたデータを演算する演算処理部を有している。以下、検査開始時制御、オートアライメント制御、眼屈折力測定制御、雲霧制御について、図を用いて説明する。
【００３３】
１）検査開始時制御
検査開始時には、まずシステム制御部４０１は、光源駆動回路４１３を介して測定用光源２０１、外眼照明光源２２１ａ、２２１ｂ、固視標光源２１７を点灯し、位置合わせと屈折力測定の準備を行う。固視標光源２１７の光量は、標準瞳孔径に対応した通常光量（所定光量）と、小瞳孔径に対応した低光量の２段階に切り替えることが可能になっており、検査開始時は通常光量に設定される。
【００３４】
検者は、ジョイスティック１０１を操作して被検眼Ｅに対する測定ユニット１１０の位置合わせを行う。ジョイスティック１０１上には、前後左右に傾けたときの傾倒角度検出機構４０２、回転させたときのエンコーダ入力機構４０３、測定開始時に押下する測定開始スイッチ４０４が配置されている。
【００３５】
システム制御部４０１は、傾斜角度検出機構４０２、エンコーダ入力機構４０３の入力に応じて、モータ駆動回路４１４によりＸ軸モータ１０３、Ｙ軸モータ１０４、Ｚ軸モータ１０５を駆動し、測定ユニット１１０の位置を制御する。同時に、システム制御部４０１は、撮像素子２２０によって撮像された被検眼Ｅの前眼部像を、文字、図形データと合成して、ＬＣＤモニタ１１６に表示する。
【００３６】
また、検者は、ＬＣＤモニタ１１６に表示された被検眼の前眼部を観察し、瞳孔径が十分でないと判断した場合に、屈折力測定絞り切り替えキー１１７を押下する。すると、システム制御部４０１は、屈折力測定絞り切り替えソレノイド４０９を動作させ、標準瞳孔径絞り２０７と小瞳孔径絞り２２５を切り替える。屈折力測定絞り切り替えソレノイド４０９は、標準瞳孔径絞り２０７と小瞳孔径絞り２２５のいずれが光路内にあるかで位置が変わるため、その位置を認識して被検眼瞳孔に関する情報を取得する取得手段として機能する。
【００３７】
２）オートアライメント制御
検者が測定開始スイッチ４０４を押すと、システム制御部４０１によりオートアライメント制御が開始される。オートアライメント制御では、システム制御部４０１は撮像素子２２０により得られた前眼部像を解析し、被検眼の瞳孔を検出する。瞳孔が検出されると、瞳孔中心軸と測定ユニット１１０の光軸０１が一致する方向に、モータ駆動回路４１４によりＸＹ各軸のモータ制御を行う。
【００３８】
被検眼Ｅの瞳孔中心軸と測定ユニット１１０の光軸０１が概略一致すると、前眼部上に外眼照明２２１ａの反射光および２２１ｂの反射光が現れるため、システム制御部４０１は、予め設定された所定の位置および大きさになるようＸＹＺ各軸のモータ制御を行う。アライメントプリズム絞り２２３によって分光された輝点を検出すると、システム制御部４０１は、輝点の位置に応じてモータ駆動回路４１４を制御する。そして、ＸＹＺ各軸の緻密なモータ制御を行い、輝点の位置が所定の範囲内に入るとオートアライメント制御を完了し、眼屈折力測定へ移行する。
【００３９】
３）眼屈折力測定制御
眼屈折力測定時においては、システム制御部４０１は、オートアライメント制御のために光路０１に挿入していた拡散板２２２を光路０１から退避させる。そして、測定光源２０１の光量を調整し、被検眼Ｅの眼底Ｅｒに測定光束を投影する。眼底からの反射光は光路０２を辿り、撮像素子２１０で受光される。眼底からの反射光は、標準瞳孔径絞り２０７または小瞳孔径絞り２２５を介して、撮像素子２１０にリング状に撮像される。このリング像は、メモリ４０８に格納される。
【００４０】
次に、システム制御部４０１は、メモリ４０８に格納されたリング像の重心座標を算出し、周知の方法により楕円の方程式を求める。求められた楕円の長径、短径および長径軸の傾きを算出して、被検眼Ｅの眼屈折力を算出し、ＬＣＤモニタ１１６に表示する。なお、求められた楕円の長径、短径に相当する眼屈折力値および撮像素子２１０の受光面上での楕円軸の角度と乱視軸との関係は、予め装置の製造工程において矯正されている。
【００４１】
４）雲霧制御
雲霧制御においては、モータ駆動回路４１４は、固視標誘導モータ２２４によりレンズ２１５を駆動し、固視標像は予備測定で得られた眼屈折力値に相当する位置へ移動させる。それにより、固視標像は被検眼Ｅの眼底に結像する。その後、システム制御部４０１は、レンズ２１５をさらに所定量だけ移動し、固視標２１６を雲霧させる。固視標像は被検眼Ｅの眼底よりわずかに前方に結像する。被検眼Ｅは固視標像を結像させるために、遠方を指向して調節を行う。
【００４２】
この調節によって被検眼Ｅは弛緩される。本実施形態ではレンズを移動させて雲霧を実現しているが、レンズを固定し、固視標を移動させて雲霧を行う実施形態でもよい。また、レンズと固視標をどちらも移動させてもよい。この雲霧制御と眼屈折力値の測定を、繰り返すことで、被検眼Ｅが充分に弛緩された状態における眼屈折力値を得ることができる。以上が眼屈折力測定の基本的な流れである。
【００４３】
（小瞳孔径の被検眼）
本実施形態では、被検眼瞳孔と光学的に共役な位置に設けられる絞り開口の大きさに関し、標準眼の場合の第１の大きさと、第１の大きさより小さい第２の大きさを切り替え可能とする。そして、小瞳孔径の被検眼に対して、第２の大きさに切り替えられている場合には、固視標の光量を標準眼の場合より小さい光量に維持又は変更する。
【００４４】
以下、眼屈折力測定絞り切り替えキー１１７が押された場合の詳細な動作を、図５を用いて説明する。図５（Ａ）は、固視標の光量を標準眼の場合より小さい光量に維持又は変更することを絞り開口切り替えより後に行う場合のフローチャートである。また図５（Ｂ）は、固視標の光量を標準眼の場合より小さい光量に維持又は変更することを絞り開口切り替えより先行させる場合のフローチャートである。また図５（Ｃ）は、固視標の光量を標準眼の場合より小さい光量に維持又は変更することを絞り開口切り替えと連動させる場合のフローチャートである。
【００４５】
眼屈折力測定絞り切り替えキー１１７が押されると、システム制御部４０１はステップＳ１００で現在光路０２に挿入されている屈折力測定絞りを判定する。図５（Ａ）で、標準瞳孔径絞り２０７が挿入されている場合に、眼屈折力測定絞り切り替えキー１１７が押されると、ステップＳ１０３で小瞳孔径絞り２２５に切り替え、ステップＳ１０４で固視標光量制御手段３００が固視標光源２１７を低光量に設定する。
【００４６】
なお、小瞳孔径絞り２２５が挿入されている場合に、眼屈折力測定絞り切り替えキー１１７が押されると、ステップＳ１０１でシステム制御部４０１が通常瞳孔径絞りである標準瞳孔径絞り２０７に切り替える。そして、ステップＳ１０２で固視標光量制御手段３００が固視標光源２１７を通常光量に設定する。
【００４７】
従って、検者が被検眼Ｅの瞳孔径に適した眼屈折力測定絞りを選択すると、固視標光源２１７も被検眼に適切な光量に設定される。即ち、検者は被検眼Ｅが標準瞳孔径の場合には通常光量の目視しやすい固視標を用いる一方、被検眼Ｅが小瞳孔径の場合には縮瞳の恐れがない低光量の固視標を用いることができる。
【００４８】
ここで、小瞳孔径の被検眼に対して眼屈折力測定絞りの切り替えが遅れた場合、固視標光源２１７を低光量に設定する前に被検眼Ｅが縮瞳してしまう恐れがある。そこで、図５（Ｂ）に示すように、ステップＳ１０３ａで固視標光源２１７を低光量に設定し、次にステップＳ１０４ａで小瞳孔径絞り２２５に切り替えると良い。
【００４９】
なお、図５（Ｃ）に示すように、ステップＳ１０３ａで固視標光源２１７を低光量に設定することと、ステップＳ１０４ａで小瞳孔径絞り２２５に切り替えることが同時にできるようにしても良い。この場合、固視標の光量を標準眼の場合より小さい光量に維持又は変更することを前記絞り開口又は前記遮光部の切り替えと連動させることとなる。なお、「同時」とは同時および略同時を含む概念である。
【００５０】
また、図６に示すように、絞り開口の大きさに係らず、固視標の光量を標準眼の場合より小さい光量に維持又は変更することを絞り開口の切り替えより先行させることもできる。この場合、検査開始時に固視標光源２１７を低光量に設定する処理を加えることとなる。図６では、検査開始時、ステップＳ２００でシステム制御部４０１は通常瞳孔径絞りである標準瞳孔絞りが挿入されており、ステップＳ２０１で予め固視標光源２１７が低光量で点灯される。そのため、被検眼Ｅの瞳孔径が不明であっても、検査開始時に縮瞳する恐れはない。
【００５１】
なお、図６のステップＳ２０２に示すように、被検眼の瞳孔径の確認に要する時間（一定時間）が経過するか否かを判断し、一定時間経過した後に、固視標光源２１７を自動的に通常光量に変更する処理を加えてもよい。ここで、被検眼の瞳孔径の確認に要する時間（一定時間）が経過する前（ステップＳ２０２がＮＯの場合）に、小瞳孔径の被検眼に対する処理が必要と検者が判断し眼屈折力測定絞り切り替えキー１１７が押された場合は、ステップＳ２０３に至る。
【００５２】
ステップＳ２０３で眼屈折力測定絞り切り替えキー１１７の押下がＹＥＳとなる小瞳孔径の被検眼に対しては、本来、絞り径の変更と固視標光量の変更が必要となる。しかし、固視標光量の変更（暗くする）については既にステップＳ２０１で行なわれているため、ステップＳ２０６では絞り径の変更のみ（小瞳孔径絞りに切り替え）を行う。
【００５３】
即ち、切り替え手段により小瞳孔径絞りに切り替えられる場合、切り替え前の固視標の光量が通常光量（所定光量）より小さい光量である場合には光量を維持する。そして、ステップＳ２０７では、眼屈折力測定絞り切り替えキー１１７が押されることにはならず、ＮＯと判断されることとなり、ステップＳ２０９に至り、測定可能な状態となる。
【００５４】
なお、被検眼の瞳孔径の確認に要する時間（一定時間）が経過する前に測定しようとする被検眼が標準の瞳孔径を備える場合は、ステップＳ２０３でＮＯとなり、ステップＳ２０４に至る。そして、ステップＳ２０４で測定開始スイッチを押下した場合には、Ｓ２１０で即座にオートアライメント制御を開始して測定可能となる。
【００５５】
図６で、被検眼の瞳孔径の確認に要する時間（一定時間）が経過後は、ステップＳ２０５で固視標光源が通常光量に変更される。被検眼の瞳孔径の確認に要する時間（一定時間）が経過後に測定しようとする被検眼が小瞳孔径を備える場合は、ステップＳ２０７で眼屈折力測定絞り切り替えキー１１７の押下がＹＥＳとなり、ステップＳ２０８に至る。
【００５６】
ステップＳ２０８では、図５の処理（フロー１として、図５（Ａ）のＳ１０３およびＳ１０４、あるいは図５（Ｂ）、図５（Ｃ）のＳ１０３ａおよびＳ１０４ａ）を行なう。そして、ステップＳ２０９に至り、測定開始スイッチ４０４の押下に応じてオートアライメント制御を開始して測定可能となる。
【００５７】
このように本実施形態によれば、切り替えキー１１７の押し下げにより自動的に小瞳孔径絞り２２５が光路に挿入されるとともに、固視標照明用光源２１７が射出する光量が低減されるため、検者は簡単な操作で小瞳孔の被検者の測定を行うことが可能となる。
【００５８】
また、簡単な操作により自動的に小瞳孔径絞り２２５が光路に挿入されるとともに、固視標照明用光源２１７が射出する光量が低減されるため、小瞳孔の被検査者の測定を迅速に行うことが可能となる。なお、迅速に測定を行うことができるため、測定準備の時間が長くなることによって起こる縮瞳を防ぐことができる。
【００５９】
さらに、本実施形態によれば、標準瞳孔径絞り２０７が光路に挿入されている場合も固視標照明用光源２１７が射出する光量を小瞳孔時と同様に一定時間低減させるため、被検眼Ｅの瞳孔径を検査者が判断する間に被検眼が縮瞳することを防ぐことができる。また、標準瞳孔径絞り２０７が光路に挿入されている場合も固視標照明用光源２１７が射出する光量を小瞳孔時と同様に一定時間低減させる方法は、事前に小瞳孔であるとわかっている被検者に対して有効である。
【００６０】
なお、本実施形態ではシステム制御部４０１が切り替え可能な光量を２段階としているが、２段階である必要はなく、３段階以上でもよい。被検眼の瞳孔径に応じた屈折力測定絞りが３種類以上ある実施形態や、屈折力測定絞りの開口面積が連続的に変化する実施形態においては、固視標光源の光量も３段階以上、もしくは連続的な変化が可能であることが好ましい。
【００６１】
また、複数段階の光量に加えて、固視標光源の消灯も可能とした実施形態でもよい。その場合、検査開始直後の固視標光源を消灯状態にすることで、被検眼Ｅの瞳孔径に応じた適切な光量を点灯時に設定することができる。
【００６２】
なお、本実施形態に示すような、検査開始時に低光量に設定するステップＳ２００や、一定時間経過後に固視標光源を通常光量に調光するステップＳ２０２、Ｓ２０４は、本発明に関して必ずしも必要なものではない。検査開始時に通常光量に設定する実施形態においても、小瞳孔径の被検眼が検査開始直後に縮瞳しないよう、検者が留意しても良い。
【００６３】
また、眼屈折力測定絞り切り替えキー１１７は異なる切り替え手段でもよい。例えば、複数の測定モードを持ち、モードごとに異なる眼屈折力測定絞りを用いる眼屈折力測定装置においては、モード切り替え手段が遮光部の開口面積を切り替える切り替え手段を兼ねることができる。
【００６４】
《第２の実施形態》
本実施形態は、眼科撮影装置に適用したものである。図７は眼科撮影装置の構成図を示しており、被検眼Ｅの前方には対物レンズ１が配置される。その後方の光路上には孔あきミラー２、フォーカスのために移動可能な撮影レンズ３、可動ミラー４、可視波長領域に感度を有するテレビカメラ等から成る撮像手段５が順次に配列され、眼底撮像光学系が構成されている。可動ミラー４の反射方向には、ハーフミラー６、眼底Ｅｒと略共役位置に固視灯７が配置されている。ハーフミラー６の反射方向には、フィールドレンズ８、赤外波長領域に感度を有するテレビカメラ９が順次に配列され観察光学系が構成されている。
【００６５】
また、孔あきミラー２への照明光の入射方向には照明光学系が設けられ、ハロゲンランプ等の可視光を発する観察光源１０側からコンデンサレンズ１１、可視光カットフィルタ１２、可視光の閃光を発する撮影光源１３が順次に配列されている。また、リング状開口部を有し被検眼Ｅの瞳孔Ｅｐと光学的に略共役位置にあるリングスリット１４、水晶体バッフル１５、レンズ１６が順次に配列されている。水晶体バッフル１５は、遮光部あるいはリング状開口部（内側遮光部と外側遮光部の間がリング状開口を形成）を有し、被検眼水晶体（例えば被検眼Ｅの水晶体後面Ｅｓ）と光学的に略共役位置に設けられる。
【００６６】
更には、リング状開口を有し被検眼角膜Ｅｃと光学的に略共役位置にある角膜バッフル１７が設けられている。図７で、撮像手段５、テレビカメラ９の出力は制御手段１８に接続されている。制御手段１８には、固視灯７、観察光源１０、撮影光源１３、テレビモニタ１９、水晶体バッフル１５の状態を検出するマイクロスイッチ等の検出手段２０、画像記録媒体２１が、それぞれ接続されている。第１の実施形態では、測定絞りの大きさの切り替えに応じて固視標の光量を制御することを固視標光量制御手段３００により行ったが、本実施形態では制御手段１８がその機能を備えるものである。
【００６７】
図８は水晶体バッフル１５の正面図を示す。水晶体バッフル１５は、中央部に有害光を遮蔽する固定の遮光部１５ａと、支点１５ｂを中心として矢印方向に手動又は電動で回動可能で、遮光部１５ａを覆う可動遮光部１５ｃとから成っている。
【００６８】
可動遮光部１５ｃを光路に挿脱することにより遮光部の面積を変更することができる。撮影者は撮影範囲、位置、ピント合わせが良好であることを確認した後に、図示しない撮影スイッチを操作し静止画撮影を行う。撮影スイッチの入力を検知した制御手段１８は、可動ミラー４を跳ね上げて光路外に退避させると共に、撮影光源１３を発光する。
【００６９】
撮影光源１３から発した撮影光束は、観察光と同様にリングスリット１４、水晶体バッフル１５のリング状開口部を通過する。そして、リレーレンズ１６、角膜バッフル１７を経て、孔あきミラー２の周辺のミラー部により左方に反射される。そして、対物レンズ１を介して被検眼Ｅの瞳孔Ｅｐから眼底Ｅｒを照明する。照明された眼底像は、対物レンズ１、孔あきミラー２の孔部を通過し、撮影レンズ３を経て撮像手段５の撮像面に結像し、制御手段１８を介してテレビモニタ１９に眼底像を表示すると共に、画像記録媒体２１に画像を記録する。
【００７０】
しかし、被検眼Ｅの散瞳が不十分で瞳孔径が小さい場合には、撮影した眼底像の中央部が暗くなる。そこで、被検眼が小瞳孔径の場合には撮影者は水晶体バッフル挿脱スイッチ（不図示）を押下して図８に示す水晶体バッフル１５の可動遮光部１５ｃを光路外に退避させる。そして、光軸上に遮光面積の小さな固定の遮光部１５ａのみを配置することにより、光束の入射面積を変更する。図９は水晶体バッフル挿脱スイッチが押された際の制御を表したものである。
【００７１】
図９（Ａ）は、固視標の光量を標準眼の場合より小さい光量に維持又は変更することを水晶体バッフル１５の遮光部の大きさの切り替えより後に行う場合のフローチャートである。また図９（Ｂ）は、固視標の光量を標準眼の場合より小さい光量に維持又は変更することを水晶体バッフル１５の遮光部の大きさの切り替えより先行させる場合のフローチャートである。また図９（Ｃ）は、固視標の光量を標準眼の場合より小さい光量に維持又は変更することを水晶体バッフル１５の遮光部の大きさの切り替えと連動させる場合のフローチャートである。
【００７２】
第１の実施形態における眼屈折力測定絞りを光路に挿入を本実施形態における水晶体バッフル１５の可動遮光部１５ｃの離脱に置き換え、眼屈折力測定絞りを光路からの離脱を可動遮光部１５ｃの挿入に置き換えれば、図５の説明と図９の説明とはほぼ同様となる。
【００７３】
このように、本実施形態においても第１の実施形態と同様の効果を得ることが可能となる。
【００７４】
なお、本実施形態では、小瞳孔径眼に対し、水晶体バッフルの開口部の大きさを小さくすると共に固視標の光量を小さくしたが、これに限定されるものではない。例えば、被検眼角膜と光学的に共役な角膜バッフル１７についても可動遮光部１５ｃと同様の可動遮光部を備えることとしてもよい。即ち、小瞳孔径眼に対しは角膜バッフル１７の可動遮光部を用いて角膜バッフルの開口部の大きさを小さくすると共に固視標の光量を小さくすることもできる。
【００７５】
更には、小瞳孔径眼に対し、水晶体バッフル１５の開口部と角膜バッフル１７の開口部との大きさを夫々小さくすると共に固視標の光量を小さくすることもできる。なお、水晶体バッフル１５および角膜バッフル１７は、被検眼への光束の入射を制限する光束制限手段に相当する。
【００７６】
また、水晶体バッフル１５の開口部を小さくするとともに、リングスリット１４の開口部を小さくすることとしても良い。
【００７７】
なお、リングスリット１４の開口部を小さくする方法としては、可動遮光部１５ｃに相当する部材を備えることとしても良いし、開口部の大きさが異なる複数のリングスリットを用いることとしてもよい。なお、水晶体バッフル１５についても開口部の大きさが異なる複数の水晶体バッフルを切り替えることとしてもよい。角膜バッフル１７についても開口部の大きさが異なる複数の角膜バッフルを切り替えることとしてもよい。  以上、各実施形態において開示した技術事項を本発明の範囲内で適宜組み合わせる、あるいは変形させることが可能であり、以下に変形例を示す。
【００７８】
（変形例）
上述した実施形態においては、絞り開口又は遮光部（バッフル）の大きさを切り替える切り替え手段と、固視標の光量を制御する制御手段とを眼科装置の本体内に有するものとして説明したが、本発明はこれに限られない。固視標を眼科装置の本体内に有する一方、眼科制御装置として、絞り開口又は遮光部の大きさを切り替える切り替え手段と、固視標の光量を制御する制御手段を眼科装置の本体外に有するものでも良い。
【００７９】
また、絞り開口又は遮光部の大きさを切り替える切り替えステップと、固視標の光量を制御する制御ステップを備える眼科制御方法を有するものでも良い。更に、絞り開口又は遮光部の大きさを切り替える切り替え処理、固視標の光量を制御する制御処理と、をコンピュータに実行させる眼科制御プログラムを有するものでも良い。
【００８０】
この場合、本件は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００８１】
２０７・・標準瞳孔径絞り、２２５・・小瞳孔径絞り、２１７・・固視標照明用光源、３００・・固視標光量制御手段、４０９・・屈折力測定絞り切り換えソレノイド、７・・固視灯、１５・・水晶体バッフル、２０・・マイクロスイッチ等の検出手段
【図１】
2013165818.tif 000003
【図２】
2013165818.tif 000004
【図３】
2013165818.tif 000005
【図４】
2013165818.tif 000006
【図５】
2013165818.tif 000007
【図６】
2013165818.tif 000008
【図７】
2013165818.tif 000009
【図８】
2013165818.tif 000010
【図９】
2013165818.tif 000011